(57)【要約】【課題】  ジューススタンド等においてもお客様の好みに応じた様々な材料のジュースをその場で確実、かつ清潔にフレッシュな生ジュースを作ることができ、しかも生ジュースを作った都度に自動的に装置を洗浄できるフレッシュジュースの製造装置を提供する。【解決手段】  上下動ユニット２０を駆動して、下端に回転刃３１を装着した回転刃ユニット２０を待機位置から回転刃が材料カップ２内に入る位置まで下降させ、その位置で回転刃ユニット２０の駆動部により回転刃３１を予め決められた時間だけ回転駆動する。ジュースができると、上下動ユニット３０によって回転刃ユニット２０を待機位置まで上昇させる。【選択図】  図３
2006025881.tif 000002
【特許請求の範囲】
【請求項１】
回転刃、前記回転刃を回転駆動する駆動部及び前記回転刃の上方に位置し容器の蓋として機能するカバーを有する回転刃ユニットと、
前記回転刃ユニットを上下に駆動する上下動ユニットと、
前記回転刃ユニットの下方に位置し、上部が開放した容器を設置できる容器ホルダと、
前記容器にジュース液を供給するジュース液供給ユニットと、
前記容器ホルダに設置された洗浄容器に洗浄水を供給する洗浄水供給ユニットと、
少なくともスタートボタンと洗浄ボタンとを有する操作ユニットと、
制御部とを備え、
前記制御部は、前記スタートボタンが押されると、前記上下動ユニットを駆動して前記回転刃ユニットを待機位置から前記カバーが前記容器ホルダに設置された容器に接触する位置まで下降させる工程、その位置で前記回転刃ユニットの駆動部により前記回転刃を予め決められた時間だけ回転駆動する工程、前記上下動ユニットによって前記回転刃ユニットを待機位置まで上昇させる工程からなる一連の工程を順に実行することを特徴とするフレッシュジュース製造装置。
【請求項２】
請求項１記載のフレッシュジュース製造装置において、前記制御部は、前記洗浄ボタンが押されると、前記容器ホルダに設置された洗浄容器に前記洗浄水供給ユニットから洗浄水を供給する工程、前記上下動ユニットを駆動して前記回転刃ユニットを待機位置から前記カバーが前記容器ホルダに設置された洗浄容器に接触する位置まで下降させる工程、前記回転刃ユニットの駆動部を駆動して前記回転刃を予め決められた時間だけ回転駆動する工程、前記上下動ユニットによって前記回転刃ユニットを待機位置まで上昇させる工程からなる一連の工程を順に実行することを特徴とするフレッシュジュース製造装置。
【請求項３】
回転刃、前記回転刃を回転駆動する駆動部及び前記回転刃の上方に位置し容器の蓋として機能するカバーを有する回転刃ユニットと、
前記回転刃ユニットを上下に駆動する上下動ユニットと、
上部が開放した容器を設置できる容器ホルダと洗浄容器を設置できる洗浄容器ホルダを備え、前記回転刃ユニットの下方に前記容器ホルダ又は前記洗浄容器ホルダを選択的に位置づけるホルダユニットと、
前記容器にジュース液を供給するジュース液供給ユニットと、
前記容器ホルダに設置された洗浄容器に洗浄水を供給する洗浄水供給ユニットと、
少なくともスタートボタンと洗浄ボタンとを有する操作ユニットと、
制御部とを備え、
前記制御部は、前記スタートボタンが押されると、前記上下動ユニットを駆動して前記回転刃ユニットを待機位置から前記カバーが前記容器ホルダに設置された容器に接触する位置まで下降させる工程、その位置で前記回転刃ユニットの駆動部により前記回転刃を予め決められた時間だけ回転駆動する工程、前記上下動ユニットによって前記回転刃ユニットを待機位置まで上昇させる工程からなる一連の工程を順に実行することを特徴とするフレッシュジュース製造装置。
【請求項４】
請求項３記載のフレッシュジュース製造装置において、前記制御部は、前記洗浄ボタンが押されると、前記容器ホルダに設置された洗浄容器に前記洗浄水供給ユニットから洗浄水を供給する工程、前記上下動ユニットを駆動して前記回転刃ユニットを待機位置から前記カバーが前記容器ホルダに設置された洗浄容器に接触する位置まで下降させる工程、前記回転刃ユニットの駆動部を駆動して前記回転刃を予め決められた時間だけ回転駆動する工程、前記上下動ユニットによって前記回転刃ユニットを待機位置まで上昇させる工程からなる一連の工程を順に実行することを特徴とするフレッシュジュース製造装置。
【請求項５】
請求項４記載のフレッシュジュース製造装置において、前記制御部は、前記スタートボタンが押されると前記回転刃ユニットの下方に前記容器ホルダが配置され、前記洗浄ボタンが押されると前記回転刃ユニットの下方に前記洗浄容器ホルダが配置されるように、前記ホルダユニットを制御することを特徴とするフレッシュジュース製造装置。
【請求項６】
請求項１〜５のいずれか１項記載のフレッシュジュース製造装置において、前記回転刃ユニットは前記回転刃の周囲に、容器の内壁に接触して容器を抑える機能と攪拌促進機能を有する少なくとも３本の支柱を備えることを特徴とするフレッシュジュース製造装置。
【請求項７】
請求項１〜６のいずれか１項記載のフレッシュジュース製造装置において、前記洗浄水供給ユニットは、オゾン水発生装置を備え、洗浄時にオゾン水を供給することを特徴とするフレッシュジュース製造装置。
【発明の詳細な説明】
【技術分野】
【０００１】
本発明は、ジュース製造装置に関するもので、特には生のジュース材料を粉砕し、攪拌混合して生ジュースを製造するフレッシュジュース製造装置に関する。
【背景技術】
【０００２】
従来、ジューススタンド等のジュースの販売場所においては、オレンジジュースやメロンジュース等の予め決められた何種類かのジュースを販売用のタンクに入れておき、お客様の求めに応じて販売用のカップに入れて販売している。これらのジュースは、予め販売場所と異なる工場等で粉末ジュースに加工し、この粉末ジュースを販売場所に輸送し、販売場所ではこの粉末ジュースに水を加えてジュースに戻し、販売用のタンクに入れて販売している。一方、家庭用のミキサ（ジュース製造装置）においては、オレンジ、メロン、りんご等の果物や野菜の材料を粉砕し、攪拌混合してジュースを製造するもので、自分の好みの材料を手軽に生ジュースが作れるものであった。
【０００３】
また、特開２００１−３４６５６２号公報には、ジューススタンド等においてもお客様の好みに応じた様々な材料のジュースをその場でフレッシュな生ジュースを作ることができ、しかも生ジュースを作った都度に自動的に装置を洗浄できるフレッシュジュースの製造装置および製造方法が記載されている。
【０００４】
【特許文献１】特開２００１−３４６５６２号公報
【発明の開示】
【発明が解決しようとする課題】
【０００５】
しかしながら、特許文献1ではカップ、カップホルダが上下駆動するために、カップホルダが上に上がった時にカップホルダ中の排水用ホースが外（お客様）に見えてしまい見映えが悪かったり、ホースが挟まったり、引っ掛ったりしてホースが外れ排水がこぼれたり、カップの上昇が止まったりしてジュースの製造が出来なかったりするという問題があった。
【０００６】
本発明は上述した従来の問題点に鑑みなされたもので、ジューススタンド等においてもお客様の好みに応じた様々な材料のジュースをその場で確実、かつ清潔にフレッシュな生ジュースを作ることができ、しかも生ジュースを作った都度に自動的に装置を洗浄できるフレッシュジュースの製造装置を提供するものである。
【課題を解決するための手段】
【０００７】
上記目的を達成するために本発明のフレッシュジュース製造装置、回転刃、回転刃を回転駆動する駆動部及び回転刃の上方に位置し容器の蓋として機能するカバーを有する回転刃ユニットと、回転刃ユニットを上下に駆動する上下動ユニットと、回転刃ユニットの下方に位置し、上部が開放した容器を設置できる容器ホルダと、容器にジュース液を供給するジュース液供給ユニットと、容器ホルダに設置された洗浄容器に洗浄水を供給する洗浄水供給ユニットと、少なくともスタートボタンと洗浄ボタンとを有する操作ユニットと、制御部とを備え、制御部はスタートボタンが押されると、上下動ユニットを駆動して回転刃ユニットを待機位置からカバーが容器ホルダに設置された容器に接触する位置まで下降させる工程、その位置で回転刃ユニットの駆動部により回転刃を予め決められた時間だけ回転駆動する工程、上下動ユニットによって回転刃ユニットを待機位置まで上昇させる工程からなる一連の工程を順に実行する。
【０００８】
上記制御部は、洗浄ボタンが押されると、容器ホルダに設置された洗浄容器に洗浄水供給ユニットから洗浄水を供給する工程、上下動ユニットを駆動して回転刃ユニットを待機位置からカバーが容器ホルダに設置された洗浄容器に接触する位置まで下降させる工程、回転刃ユニットの駆動部を駆動して回転刃を予め決められた時間だけ回転駆動する工程、上下動ユニットによって回転刃ユニットを待機位置まで上昇させる工程からなる一連の工程を順に実行する。
【０００９】
本発明によるフレッシュジュース製造装置は、また、回転刃、回転刃を回転駆動する駆動部及び回転刃の上方に位置し容器の蓋として機能するカバーを有する回転刃ユニットと、回転刃ユニットを上下に駆動する上下動ユニットと、上部が開放した容器を設置できる容器ホルダと洗浄容器を設置できる洗浄容器ホルダを備え、回転刃ユニットの下方に容器ホルダ又は洗浄容器ホルダを選択的に位置づけるホルダユニットと、容器にジュース液を供給するジュース液供給ユニットと、容器ホルダに設置された洗浄容器に洗浄水を供給する洗浄水供給ユニットと、少なくともスタートボタンと洗浄ボタンとを有する操作ユニットと、制御部とを備え、制御部は、スタートボタンが押されると、上下動ユニットを駆動して回転刃ユニットを待機位置からカバーが容器ホルダに設置された容器に接触する位置まで下降させる工程、その位置で回転刃ユニットの駆動部により回転刃を予め決められた時間だけ回転駆動する工程、上下動ユニットによって回転刃ユニットを待機位置まで上昇させる工程からなる一連の工程を順に実行する。
【００１０】
上記制御部は、洗浄ボタンが押されると、容器ホルダに設置された洗浄容器に洗浄水供給ユニットから洗浄水を供給する工程、上下動ユニットを駆動して回転刃ユニットを待機位置からカバーが容器ホルダに設置された洗浄容器に接触する位置まで下降させる工程、回転刃ユニットの駆動部を駆動して回転刃を予め決められた時間だけ回転駆動する工程、上下動ユニットによって回転刃ユニットを待機位置まで上昇させる工程からなる一連の工程を順に実行する。
【００１１】
上記制御部は、スタートボタンが押されると回転刃ユニットの下方に容器ホルダが配置され、洗浄ボタンが押されると回転刃ユニットの下方に洗浄容器ホルダが配置されるように、ホルダユニットを制御してもよい。
【００１２】
回転刃ユニットは回転刃の周囲に、容器の内壁に接触して容器を抑える機能と攪拌促進機能を有する少なくとも３本の支柱を備えるのが好ましい。洗浄水供給ユニットは、オゾン水発生装置を備え、洗浄時にオゾン水を供給するのが好ましい。
【発明の効果】
【００１３】
本発明によると、ファーストフード店やコンビニエンスストア等において、その場でお客様の要望に応じて新鮮なフレッシュジュースを作ることができ、洗浄も簡単に行うことができる。また、毎回異なるジュースを１カップ分だけ作るので、お客様の多様なニーズに応えることができるものである。
【発明を実施するための最良の形態】
【００１４】
以下、図面を参照して本発明に係るフレッシュジュース製造装置の実施の形態を詳細に説明する。
【００１５】
〔実施例１〕
図１は、本発明によるフレッシュジュース製造装置の一実施例を示す斜視図、図２は、図１のフレッシュジュース製造装置の構成を示す一部破断の正面図である。
【００１６】
本実施例のフレッシュジュース製造装置は、図１、図２に示すように、本体ケース１と、前記本体ケース１に配置され材料を入れた材料カップ２のカップホルダ１１もしくは洗浄カップ１２を設置できるカップユニット１０と、回転刃３１とそれを回転駆動するためのモータ３３からなる回転刃ユニット２０と、回転刃ユニット２０を上下方向に駆動する上下動ユニット３０と、材料カップ２にジュース液を供給するジュース液供給ユニット４０と、洗浄用カップに洗浄水を供給する洗浄水供給ユニット５０と、各ユニットを操作するための操作ボタンを備えた操作ユニット６０と、制御部７０とを備えている。操作ユニット６０の操作ボタンを押すと、制御部７０は、各操作ボタン毎に予め設定されている手順に従って各ユニットを制御し、装置としての動作を行う。
【００１７】
本体ケース１は、本実施例では略門型形状を半分に切断した形状であり、下部の空間にカップユニット１０と回転刃３１を配置し、内部には上下動ユニット３０、洗浄水供給ユニット５０を収容しており、上部の前面パネル１ａには、ジュース液供給ユニット４０が取り付けられると共に各種の操作ボタンを備えた操作ユニット６０が取り付けられている。また、この本体ケース１の側面には洗浄水供給ユニット５０に水を供給するための給水ホース３が接続されている。
【００１８】
カップユニット１０にはブラケット１３が取り付けられており、このブラケット１３に材料カップ２、もしくは洗浄用カップ１２を保持するためのカップホルダ１１が固定されており、この洗浄カップ１２の底には、穴があいており、ブラケット１３には洗浄した洗浄水を流すために排水ホース１４が接続されていた方が好ましい。図示しないが、洗浄中は洗浄カップに水を貯め、洗浄後流すためのバルブが備えられている。
【００１９】
図３及び図４は、回転刃ユニット２０及び上下動ユニット３０の概略図である。図３は回転刃ユニット２０がカップ上方の待機位置にある時の状態を示し、図４は回転刃ユニット２０が回転位置にある状態を示している。回転刃ユニット２０が回転位置にあるとき、下端の回転刃３１はカップ２内に収容されている。回転刃ユニット２０は、回転刃３１が取り付けられた回転シャフト３２と、この回転シャフト３２を高速回転させるモータ３３を備えている。また、回転刃３１の上方には、回転刃３１が回転している時にジュースや洗浄水が外部に飛び散らないように、カップ２の蓋として機能するインナーカバー３４が取り付けてある。また、図の例では、インナーカバー３４に、カップを抑えてカップホルダに固定し、かつ攪拌を促進させるための３本の支柱４が備えられている。設計によっては、支柱４はなくても構わないが、ある方が望ましい。モータ３３の回転数は、材料が粉砕される回転数であればかまわないが、スロースタータで少しずつ回転数が上がり、最高5000rpm〜100,000rpm程度である。より好ましくは10,000〜20,000rpmである。
【００２０】
回転刃ユニット２０を上下に駆動する上下動ユニット３０は、ボールネジ３５とボールネジを回転駆動するモータ３６からなる。回転刃ユニット２０に固定された２個のナット３７，３８の位置をボールネジ３５の回転によって上下に移動させることによって、回転刃ユニット２０を上下の方向に駆動する。回転刃３１によってカップ２内の材料を粉砕する際には、図４に示すように、上下動ユニット３０によって回転刃ユニット２０を下降させて回転刃３１を材料カップ２内に収容する。この時、回転刃３１の上方に設けられた例えばステンレス製のインナーカバー３４によってカップ２の上方開口部が塞がれ、カップ２の内容物が外部に飛び散るのを防止する。また、インナーカバー３４に取り付けられた支柱４がカップの内壁に接触し、カップをカップホルダ１１にしっかりと固定する。支柱４は、単にカップ２を固定する機能だけなく、回転刃３１の回転に伴って材料カップ２内に発生する液体の流れを乱す障害物となって攪拌を促進させる機能も有している。
【００２１】
図５は、回転刃ユニットが備えるインナーカバーと支柱の概略図である。インナーカバー３４と支柱４はステンレス製であり、インナーカバー３４から下方に３本以上の支柱４が伸びている。インナーカバー３４の中央には回転シャフト３２を通す穴３９が設けられている。支柱４は柔軟性を有し、回転刃ユニット２０が下降するとき、カップ２の内壁に接触して内壁の形状に沿って変形し、カップ２をホルダ１１に固定する。本例の支柱４は、断面形状が矩形になっている。
【００２２】
図６は、インナーカバーと支柱の他の例を示す概略図である。本例のインナーカバーは、ステンレス製の基板３４ａにシリコンゴムからなる蓋部材３４ｂを取り付けた構造を有する。シリコンゴム製の蓋部材３４ｂは、カップの形状に合わせて、下面の径より上面の径が大きな円錐台の形状をしている。ステンレス製の基板とシリコンゴム製の蓋部材の中央には、回転シャフトを通す穴３９ａが設けられている。本例の支柱４ａは丸棒であり、円形の断面を有する。
【００２３】
図７は、インナーカバーと支柱の他の例を示す概略図である。本例のインナーカバーと支柱は図５に示したものと同様であるが、回転シャフト３２のインナーカバー３４近傍の個所に粉砕材料反射板３９ｃが取り付けられている点で、図５の例と異なる。インナーカバー３４には回転シャフト３２を通す穴３９が設けられおり、回転シャフトのまわりにはわずかな隙間がある。回転シャフト３２に粉砕材料反射板３９ｃを取り付けることにより、この隙間がカップ２の内部から見通せなくなり、カップ内で流動しているジュースや後述する洗浄水が、インナーカバー３４の回転シャフト３２を通す穴３９の内面と回転シャフト３２との間に形成される隙間から漏れ出すのを防止することができる。
【００２４】
図５から図７に示すように、支柱４を備えたことにより、材料カップ２が回転するのを抑えることができ、かつ支柱４にフレッシュジュースの材料がぶつかることにより攪拌が促進され、市販のカップでもフレッシュなジュースができるが、本発明は支柱がない場合でも有効である。また、支柱４は３本の例について説明したが、材料カップ２が抑えられ、かつ攪拌が促進されれば３本以上でも良い。また、支柱４の形状も機能を満たせばよく、それぞれの支柱が材料カップ内に収まり、かつ材料カップを抑えられれば良く、棒でも板でもまたは先端が折れ曲がってより抑えられるようになっていても良い。
【００２５】
なお、上下動ユニット３０の上下の駆動手段は、モータに代えて、コンプレッサ等のエア圧を得られる場所ではエア圧を利用したエアシリンダを使用してもよいことは、勿論である。圧力としては、カップを潰さず、かつ前記材料、ジュース液や洗浄水が飛び出さない程度が好ましい。
【００２６】
ジュース液供給ユニット４０は、本体ケース１の前面パネル１ａに取り付けられており、ジュース液を入れた紙パック４１が３本入るホルダ４２と、紙パック４１からジュース液を取り出すために、図示しない小型ポンプを備えた取り出しパイプ４３が備えられている。この取り出しパイプ４３の先端４３ａは、ジュース液を材料カップ２に供給できるように下向きに配設されており、図示しない所定のボタンを押せば、その位置のジュース液がカップ内に供給されるようになっている。
【００２７】
さらに、洗浄水供給ユニット５０は、図示しないポンプが備えられたタンク５１と、オゾン発生器５２が備えられている。この洗浄水供給ユニット５０は、ホース３によりタンク５１に貯蔵された水にオゾン発生器５２で発生させたオゾンを加えて殺菌効果を高め、回転刃３１の洗浄時に洗浄を行うと共に殺菌も行うものである。この洗浄水供給ユニット５０は、ホース３を水道に接続する場合は、ポンプが必要ないが、野外等で使用する場合にホース３を水道に接続出来ないこともあり、その場合はポリタンク等から水を供給するのでポンプを用いてもかまわない。
【００２８】
操作ユニット６０は、本体ケース１の前面パネル１ａに取り付けられたもので複数の押しボタンスイッチから構成されている。これらのスイッチは、ジュース製造を開始するスタートボタン６１、洗浄をスタートするスタートボタン６２、装置の作動状態を示すパイロツトランプ６３や非常停止ボタン６４が備えられている。
【００２９】
図８は、本実施例のフレッシュジュース製造装置の制御系統を示すブロック図である。回転刃ユニット２０の回転モータ３３、上下動ユニット３０の駆動モータ３６、ジュース液供給ユニット４０のジュース液供給ポンプ４５、洗浄液供給ユニット５０の洗浄水供給ポンプ５５の動作は制御部７０によって制御される。ジュース液の注入、回転刃でカップ内のジュース材料を破砕することによるフレッシュジュースの製造、及び洗浄の際の各駆動部の動作は、予め制御部にプログラムされており、操作ユニット６０に設けられたジュース製造スタートボタン６１あるいは洗浄スタートボタン６２を押すと、制御部７０は、プログラムされた手順に従って各駆動部を制御し、フレッシュジュースの製造あるいは洗浄を行う。
【００３０】
次に、フレッシュジュースの製造工程を説明する図９のフローチャートを参照して、上述のように構成されたフレッシュジュース製造装置によるフレッシュジュースの製造方法について説明する。まず、少なくとも一種類以上の材料をそれぞれの複数の材料カップに収納して揃え、お客様が複数の材料カップの中から希望する一つ材料カップを選択する。さらには、材料と附属品の砂糖や蜂蜜等が入っている場合もあり、できるだけ数多くの種類を取り揃えておくのが好ましい。
【００３１】
次いで、選択された材料カップ２を販売員が取り、材料カップ２の蓋を開けて附属品を取り出し、お客様の要望に応じて附属品の封を切り、中身を入れる。そして、フレッシュジュース製造装置のジュース液供給ユニット４０の中から必要なジュース液のボタンを押して材料カップ２に入れる（ステップ１１）。そして、材料カップ２をフレッシュジュース製造装置のカップユニット１０のカップホルダ１１にセットする（ステップ１２）。
【００３２】
次いで、操作ユニット６０のジュース製造のスタートボタン６１を押して装置を動作させる（ステップ１３）。すると、制御部７０からの指令により、上下動ユニット３０が作動し、待機位置にある回転刃ユニット２０が、回転刃３１が材料カップ２の中に位置するように、予め設定した位置まで下降する。回転刃３１が材料カップ２内の所定位置に収まり上下動ユニット２０の動作が停止すると、次に制御部７０からの指令により回転刃ユニット２０の回転モー３３タが回転し、材料カップ２内の材料を回転刃３１で粉砕し、攪拌混合してフレッシュジュースを製造する。回転刃３１の回転時間はタイマに予め設定されている。設定された時間が経過すると回転刃ユニット２０の回転モータ３３が停止し、続いて上下動ユニット３０が動作して、回転刃ユニット２０を待機位置まで上昇させる（ステップ１４）。フレッシュジュースができ上がると、販売員は、カップホルダ１１から材料カップ２を取り出し、お客様の好みに応じて材料カップ２に氷等を入れ、材料カップ２に蓋をしてお客様に渡す（ステップ１５）。
【００３３】
さらに、販売員は、フレッシュジュース製造後、回転刃等を洗浄したいときに（ステップ１６）、カップユニット１０のカップホルダ１１に洗浄カップ１２をセットし（ステップ１７）、洗浄スタートボタン６２を押す（ステップ１８）。すると、制御部７０からの指令により、洗浄水供給ユニット５０が自動的に作動してオゾン水が洗浄カップ１２に供給される。次に、制御部７０からの指令により、上下動ユニット３０が作動し、待機位置にある回転刃ユニット２０が、回転刃３１が材料カップ２の中に位置するように、予め設定した位置まで下降する。上下動ユニット３０の動作が停止すると、次に制御部７０からの指令により回転刃ユニット２０の回転モータ３３が決められた時間だけ回転し、回転刃３１を回転駆動して洗浄する（ステップ１９）。洗浄が終了し、回転刃ユニット２０の回転モータ３３が停止すると、続いて上下動ユニット３０が動作して、回転刃ユニット２０を待機位置まで上昇させ、一連の動作が終了する。
【００３４】
上述したように、本実施例のフレッシュジュース製造装置は、ファーストフード店やコンビニエンスストア等のカウンタに置くことができる卓上サイズであり、その場でお客様の要望に応じて新鮮なフレッシュジュースを作ることができる。また、毎回異なるジュースを１カップ分だけ作るので、お客様の多様なニーズに答えることができるものである。
【００３５】
本実施例によると、お客様の多様な好みに応じた新鮮なフレッシュジュースを提供することができると共に次のお客様も同じ材料を注文しなかった場合や、数間以上お客様が途切れた場合等に洗浄を行うことで衛生的に使用できる。また、使い捨ての薄肉のプラスチックカップや紙カップに材料を入れたままジュースにできるので、容器の洗浄の必要がなく、メンテナンスが非常に楽になる。また、操作が自動化されているので、熟練を要さず、誰でも簡単に均一な品質のフレッシュジュースを製造することができる。
【００３６】
〔実施例２〕
図１０は、本発明によるフレッシュジュース製造装置の他の実施例を示す斜視図である。本実施例のフレッシュジュース製造装置は、洗浄を自動で行えるようにした点が実施例１の装置と異なる。図１０において、図１と同じ構成要素には図１と同じ符号を付して示し、重複する説明を省略する。
【００３７】
本実施例のフレッシュジュース製造装置のカップユニット１０は、二股のブラケット１３が取り付けられており、このブラケット１３の一方の側に材料カップ２を保持するためのカップホルダ１１が固定されており、他方の側に回転刃３１を洗浄するための洗浄カップ１２が取り付けられている。洗浄カップ１２の底には、洗浄した洗浄水を流すために排水ホース１４が接続されているのが好ましい。図示しないが、洗浄中は洗浄カップに水を貯め、洗浄後流すためのバルブが備えられている。
【００３８】
カップユニット１０は、２つの回転位置に選択的に停止するような構造を有し、カップホルダ１１あるいは洗浄カップ１２が回転刃ユニット２０の真下に来るように手動で動かすものとすることができる。あるいは、カップホルダの下方の本体内部等にモータ１５を設置し、そのモータ１５によってカップホルダ１１あるいは洗浄カップ１２が回転刃ユニットの真下に来るようにカップユニット１０を回転駆動する構成を採用してもよい。
【００３９】
図１１は、カップユニット１０を駆動するカップユニット駆動モータを有する本実施例のフレッシュジュース製造装置の制御系統を示すブロック図である。回転刃ユニット２０の回転モータ３３、上下動ユニット３０の上下動モータ３６、ジュース液供給ユニット４０のジュース液供給ポンプ４５、洗浄液供給ユニット５０の洗浄水供給ポンプ５５、カップユニット１０を回転駆動するカップユニット駆動モータ１５の動作は制御部７０によって制御される。ジュース液の注入、回転刃でカップ内の材料を破砕することによるフレッシュジュースの製造、及び洗浄の際の各駆動部の動作は、予め制御部にプログラムされており、操作ユニットに設けられたジュース製造スタートボタンあるいは洗浄スタートボタンを押すと、制御部７０は、プログラムされた手順に従って各駆動部を制御し、フレッシュジュースの製造あるいは洗浄を行う。
【００４０】
図１２は、本実施例のフレッシュジュース製造装置によるフレッシュジュースの製造工程を説明するフローチャートである。ステップ２１からステップ２５までは、先の実施例における図８のステップ１１からステップ１５と実質的に同一であるため、説明を省略する。フレッシュジュース製造後に洗浄が必要なとき（ステップ２６）、販売員は洗浄スタートボタンを押す（ステップ２７）。
【００４１】
すると、制御部７０からの指令により、カップユニット駆動モータ１５が作動し、カップユニット１０が回動して洗浄カップ１２が回転刃ユニット２０の下に位置する。続いて、制御部７０からの指令により、洗浄水供給ユニット５０が自動的に作動してオゾン水が洗浄カップ１２に供給される。次に、制御部７０からの指令により、上下動ユニット３０が作動し、待機位置にある回転刃ユニット２０が、回転刃３１が材料カップ２の中に位置するように、予め設定した位置まで下降する。上下動ユニット３０の動作が停止すると、次に制御部７０からの指令により回転刃ユニット２０の回転モータ３３が決められた時間だけ回転し、回転刃３１を回転駆動させ洗浄する（ステップ２８）。洗浄が終了して回転刃ユニッ２０トの回転モータ３３が停止すると、続いて上下動ユニット３０が動作して、回転刃ユニット２０を待機位置まで上昇させる。続いて、カップユニット駆動モータ１５が作動して、カップホルダ１１が回転刃ユニット２０の下に位置するようにカップユニット１０を回動し、一連の動作が終了する。
【００４２】
なお、カップユニット駆動モータ１５がなく、カップユニット１０を手動で回転させる装置構成の場合には、ステップ２６の次に手動でカップユニット１０を回して洗浄カップ１２を回転刃ユニット２０の下に位置させてから、ステップ２７に進んで洗浄スタートボタンを押す。また、洗浄終了後に、手動でカップユニットを回転させて、カップホルダを回転刃ユニット２０の下に位置させる必要がある。
【００４３】
本実施例によると、お客様の多様な好みに応じた新鮮なフレッシュジュースを提供することができると共に毎回洗浄を行うことで衛生的に使用できる。また、使い捨ての薄肉のプラスチックカップや紙カップに材料を入れたままジュースにできるので、容器の洗浄の必要がなく、メンテナンスが非常に楽になる。また、操作が自動化されているので、熟練を要さず誰にでも簡単に均一な品質のフレッシュジュースを製造することができる。
【図面の簡単な説明】
【００４４】
【図１】本発明によるフレッシュジュース製造装置の一実施例を示す斜視図。
【図２】図１に示したフレッシュジュース製造装置の構成を示す一部破断の正面図。
【図３】回転刃ユニット及び上下動ユニットの概略図。
【図４】回転刃ユニット及び上下動ユニットの概略図。
【図５】インナーカバーと支柱の概略図。
【図６】インナーカバーと支柱の他の例を示す概略図。
【図７】インナーカバーと支柱の他の例を示す概略図。
【図８】フレッシュジュース製造装置の制御系統を示すブロック図。
【図９】フレッシュジュースの製造工程を説明するフローチャート。
【図１０】本発明によるフレッシュジュース製造装置の他の実施例を示す斜視図。
【図１１】フレッシュジュース製造装置の制御系統を示すブロック図。
【図１２】フレッシュジュースの製造工程を説明するフローチャート。
【符号の説明】
【００４５】
１ 本体ケース
２ 材料カップ
３ 給水ホース
４  カップ回転防止機能＆攪拌促進機能支柱
１０ カップユニット
１１ カップホルダ
１２ 洗浄カップ
１３ ブラケット
１４ 排水ホース
２０ 回転刃ユニット
３０ 上下動ユニット
３１ 回転刃
３２ 回転シャフト
３３ 回転モータ
３４ インナーカバー
３５  ボールネジ
３６  モータ
３７，３８  ナット
４０ ジュース液供給ユニット
４１ 紙パック
４２ ホルダ
４３ 取り出しパイプ
５０ 洗浄水供給ユニット
５１ タンク
５２ オゾン発生器
６０ 操作ユニット
７０  制御部
【図１】
2006025881.tif 000003
【図２】
2006025881.tif 000004
【図３】
2006025881.tif 000005
【図４】
2006025881.tif 000006
【図５】
2006025881.tif 000007
【図６】
2006025881.tif 000008
【図７】
2006025881.tif 000009
【図８】
2006025881.tif 000010
【図９】
2006025881.tif 000011
【図１０】
2006025881.tif 000012
【図１１】
2006025881.tif 000013
【図１２】
2006025881.tif 000014